(57)【特許請求の範囲】
【請求項１】
本体から開かれる時に前記本体の電源を遮断し、前記本体に結合される時に前記本体に電源を供給する電源遮断装置を備える多機能カバーを含む複合機において、前記多機能カバーは、
前記本体に対向する側の所定位置に設けられて前記本体に設置された詰まり除去レバーに干渉して、前記詰まり除去レバーが正しい動作位置にあるか否かの確認及び前記詰まり除去レバーの位置補正を行う詰まり除去レバー位置確認部と、
前記詰まり除去レバー位置確認部に隣接して設置され、前記本体に設置されたトナーコンテナロッキングレバーに干渉して、トナーコンテナが正しく固定されているか否かの確認及び前記トナーコンテナロッキングレバーの位置補正を行うトナーコンテナロッキングレバー位置確認部と、
前記トナーコンテナロッキングレバー位置確認部に隣接して設置され、現像ローラにより回収されるトナーの前記トナーコンテナへの流入を調整するシャッタを開閉するシャッタ開閉部と、
前記多機能カバーの前記本体に対向する側の所定位置に設置され、前記本体に設置されたサイドカバーブラケットに干渉することによりサイドカバーが前記本体に正しい状態で結合されるようにするサイドカバーブラケット調節部と、
を含むことを特徴とする複合機。
【請求項２】
前記詰まり除去レバー位置確認部は、前記多機能カバーから所定距離に突出形成されており、その一側には前記本体の詰まり除去レバーと干渉して前記詰まり除去レバーを正しい動作位置に位置させる複数の第１リブが形成される第１傾斜部が設けられていること、を特徴とする請求項１に記載の複合機。
【請求項３】
前記トナーコンテナロッキングレバー位置確認部は、前記多機能カバーから所定距離に突出形成されており、その一側には前記本体のトナーコンテナロッキングレバーと干渉して前記トナーコンテナロッキングレバーを正しい動作位置に位置させる複数の第２リブが形成される第２傾斜部が設けられていること、を特徴とする請求項１に記載の複合機。
【請求項４】
前記サイドカバーブラケットは、
前記本体に回動可能に設けられ、回動中心から一方向に延長形成される干渉部と他の方向に延長形成される阻止部とを備え、前記阻止部が前記サイドカバーの前記本体への結合を阻止する位置に弾性的に保持され、
前記サイドカバーブラケット調節部は、
前記多機能カバーから所定距離に突出形成され、前記多機能カバーが前記本体に結合される時に前記干渉部に干渉して前記サイドカバーブラケットを回動させることにより前記サイドカバーの前記本体への結合を可能とすることを特徴とする請求項１に記載の複合機。
【発明の詳細な説明】
【０００１】
【発明の属する技術分野】
本発明は複合機に関するものであり、より詳細には、複合機本体に設置される多数の内部装置の正しい動作位置を制御および確認できる複合的な機能を有する多機能カバーを備えた複合機に関する。
【０００２】
【従来の技術】
プリンタ、複写機、スキャナ、ファクシミリ等の事務自動化機器は、機能拡張による高性能化のために価格が上昇し、また、使用方法も複雑になってきている。これに伴ない、各機器を統合して１つの事務自動化機器にした、より安価でかつ使用方法も簡単な複合機が登場した。
【０００３】
前記複合機は、印刷手段とスキャニング手段と通信手段とを備え、スキャニング手段によりスキャニングされたイメージを、印刷手段により印刷または複写したり、通信手段によりＦＡＸ送信することができる。
【０００４】
図３は、従来の事務自動化機器の一部を図示した斜視図である。従来の事務自動化機器は、本体１００と、本体１００の下段にヒンジ１２０が結合されてヒンジ１２０を回転軸として本体１００に対して開閉さるべく設置される多機能カバー２００と、により構成される。多機能カバー２００には、フック２２０と突起部２４０とが形成される。フック２２０は、本体１００に対向する面の一側に設置され、多機能カバー２００が本体１００に対して閉められる時、本体１００に設けられているノブ１４０に結合される。突起部２４０は、多機能カバー２００内面の一側に設置され、多機能カバー２００が本体１００から開かれる時に本体１００に設置されたスイッチ１６０をオフにし、閉められる時にスイッチ１６０をオンにする。
【０００５】
多機能カバー２００が本体１００に対して開かれると、突起部２４０がスイッチ１６０と分離されつつ本体１００の電源を遮断して機器の動作を止めるので、ユーザーは本体１００の内部に設置された装置（図示せず）を補充、交換、あるいは修理することができる。反対に、多機能カバー２００が本体１００に対して閉められると、突起部２４０がスイッチ１６０と結合されて本体１００に電源を供給して内部に設置された装置（図示せず）が動作される。
【０００６】
すなわち、従来の多機能カバー２００は、内部装置や部品を保護し、多機能カバー２００の開閉に応じた電源供給の制御を行う。
【０００７】
一方、前述した従来の多機能カバー２００を備える複合機は、各内部装置が正しく作動できる状態にあるか否かを確認するために複数の装置を備えているが、互いに独立して設けられる前記複数の装置は製造原価を上昇させている。
【０００８】
【発明が解決しようとする課題】
本発明は、多機能カバーに電源供給の制御以外の機能、すなわち内部装置が正しく作動できる状態にあるか否かを確認する機能、を付加した多機能カバーを備えた複合機を提供することである。
【０００９】
【課題を解決するための手段】
上記課題を解決するため、本発明の主たる観点によれば、本体から開かれる時に上記本体の電源を遮断し、上記本体に結合される時に上記本体に電源を供給する電源遮断装置を備える多機能カバーを含む複合機において、上記多機能カバーは、上記本体に対向する側の所定位置に設けられて上記本体に設置された詰まり除去レバーに干渉して、上記詰まり除去レバーが正しい動作位置にあるか否かの確認及び上記詰まり除去レバーの位置補正を行う詰まり除去レバー位置確認部と、上記詰まり除去レバー位置確認部に隣接して設置され、上記本体に設置されたトナーコンテナロッキングレバーに干渉して、トナーコンテナが正しく固定されているか否かの確認及び上記トナーコンテナロッキングレバーの位置補正を行うトナーコンテナロッキングレバー位置確認部と、上記トナーコンテナロッキングレバー位置確認部に隣接して設置され、現像ローラにより回収されるトナーの上記トナーコンテナへの流入を調整するシャッタを開閉するシャッタ開閉部と、上記多機能カバーの上記本体に対向する側の所定位置に設置され、上記本体に設置されたサイドカバーブラケットに干渉することによりサイドカバーが上記本体に正しい状態で結合されるようにするサイドカバーブラケット調節部と、を含むことを特徴とする複合機が提供される。
【００１０】
上記記載の発明では、詰まり除去レバーの位置を確認及び補正する機能と、トナーコンテナロッキングレバーの位置を確認及び補正しトナー回収経路上にあるシャッタの開閉を行う機能と、サイドカバーブラケットの複合機本体への結合を調整する機能と、が同時に作用するので、各内部装置がそれぞれ作動可能な状態にあるかを一度に確認することができる。
【００１１】
また、前記詰まり除去レバー位置確認部、前記トナーコンテナロッキングレバー位置確認部、前記シャッタ開閉部、及び前記サイドカバーブラケット調節部は、全て前記多機能カバーの前記本体と対向する面に突出形成される、如く構成すれば、製造が容易になり、かつ部品数を減らすことができる。
【００１２】
【発明の実施の形態】
以下、添付図面を参照しながら、本発明の好適な実施形態について詳細に説明する。なお、以下の説明および添付図面において、略同一の機能構成を有する構成要素については、同一の符号を付することにより重複説明を省略することにする。
【００１３】
図１は、本実施形態にかかる多機能カバーが適用された複合機の斜視図である。
【００１４】
複合機３００は、本体３１０と、プラテンアセンブリ３４０と、プラテン多機能カバーアセンブリ３６０と、を含んで構成される。プラテンアセンブリ３４０は、本体３１０の上側に設置されて複合機３００の機能を動作させるための操作パネル３２０と、スキャニング装置（図示せず）により照射された光が通過するスキャニングガラス３３０と、を備える。プラテン多機能カバーアセンブリ３６０は、プラテンアセンブリ３４０の上側にヒンジ結合で設置され、原稿を支えるトレイ３５０を備える。
【００１５】
本体３１０は、本体３１０の下側に設置されて記録紙が積載される給紙カセット３７０と、多機能カバー３８０と、サイドカバー３９０と、を含んで構成される。多機能カバー３８０は、本体３１０の前面に位置し、本体３１０に設置されている機器の動作位置を把握するために複数の部材が設けられている。サイドカバー３９０は、本体３１０の側面にヒンジ結合で設置され、本体３１０に設置されている機器を保護するために設けられ、本体３１０に設置されている機器を検査または交換する際に開閉される。
【００１６】
図２は、図１に示された多機能カバーが本体から開かれた状態を示す斜視図である。多機能カバー３８０は、本体３１０にヒンジ３８１で連結されており、ヒンジ３８１を回転軸として本体３１０に対して開閉される。
【００１７】
多機能カバー３８０の本体３１０に対向する側にはロッキング部３８２が設けられており、本体３１０にはロッキング部３８２に対応する固定部３１２が設けられている。従って、多機能カバー３８０が本体３１０に対して閉められる時、ロッキング部３８２は固定部３１２と結合されるので、多機能カバー３８０は本体３１０に固定結合される。
【００１８】
多機能カバー３８０には、電源遮断装置３８３が設置される。電源遮断装置３８３は、多機能カバー３８０が本体３１０から開かれる時、本体３１０の電源を遮断して装置の動作を遮断することにより機器を保護するための安全装置の役割を果たす。電源遮断装置３８３に対応して本体３１０にはスイッチ部３１３が設けられる。多機能カバー３８０が本体３１０に対して閉められる時、電源遮断装置３８３はスイッチ部３１３をオンにして本体３１０に電源を供給する。逆に、多機能カバー３８０が本体３１０から開かれる時、電源遮断装置３８３はスイッチ部３１３をオフにして本体３１０への電源供給を遮断する。
【００１９】
多機能カバー３８０の本体３１０に対向する側の所定位置には、詰まり除去レバー位置確認部３８４が設置される。詰まり除去レバー位置確認部３８４は、本体３１０に設置されて複合機３００の動作中に生じた詰まりを除去するための詰まり除去レバー３１４が、正しく位置しているか否かを確認するためのものである。
【００２０】
詰まり除去レバー位置確認部３８４は、多機能カバー３８０から本体３１０に対向する方向に所定距離突出して形成されており、その一側には詰まり除去レバー３１４と干渉する第１傾斜部３８４ａが形成されている。第１傾斜部３８４ａには複数の第１リブ３８４ｂが形成されている。
【００２１】
多機能カバー３８０が本体３１０に結合される時、詰まり除去レバー３１４がＢ位置、すなわち複合機３００の動作中に生じた詰まりを除去するための位置、にある場合には、詰まり除去レバー位置確認部３８４は詰まり除去レバー３１４と干渉され、多機能カバー３８０の本体３１０への結合が妨害されて多機能カバー３８０を完全に閉じることができなくなる。従って、ユーザーは詰まり除去レバー３１４をＡ位置に位置させてから多機能カバー３８０を本体３１０に結合させることになる。
【００２２】
多機能カバー３８０が本体３１０に結合される時、詰まり除去レバー３１４がＡ位置から僅かにずれている場合、第１リブ３８４ｂが詰まり除去レバー３１４を押しつつ本体３１０に結合されるので、詰まり除去レバー３１４はＡ位置に正確に位置される。
【００２３】
多機能カバー３８０が本体３１０に結合されている状態においては、第１リブ３８４ｂは詰まり除去レバー３１４をＡ位置に固定させる役割を果たす。
【００２４】
一方、複合機３００の動作中に詰まりが生じた場合には、ユーザーは先ず、多機能カバー３８０を開いて詰まり除去レバー３１４をＢ位置に位置させてから、詰まりの除去を行う。
【００２５】
多機能カバー３８０の本体３１０に対向する側の所定位置には、詰まり除去レバー位置確認部３８４に隣接して、トナーコンテナロッキングレバー位置確認部３８５が設置される。トナーコンテナロッキングレバー位置確認部３８５は、トナーコンテナ３１７を本体３１０に結合させてトナーコンテナ３１７を固定するトナーコンテナロッキングレバー３１５が、正しく固定されているか否かを確認するためのものである。
【００２６】
トナーコンテナロッキングレバー位置確認部３８５は、多機能カバー３８０から本体３１０に対向する方向に所定距離突出して形成されており、その一側にはトナーコンテナロッキングレバー３１５と干渉する第２傾斜部３８５ａが形成されている。第２傾斜部３８５ａには複数の第２リブ３８５ｂが形成されている。
【００２７】
多機能カバー３８０が本体３１０に結合される時、トナーコンテナロッキングレバー３１５がＤ位置にある場合には、トナーコンテナロッキングレバー位置確認部３８５はトナーコンテナロッキングレバー３１５と干渉され、多機能カバー３８０の本体３１０への結合が妨害されて多機能カバー３８０を完全に閉じることができなくなる。従って、ユーザーはトナーコンテナロッキングレバー３１５をＣ位置に位置させてから多機能カバー３８０を本体３１０に結合させることになる。
【００２８】
多機能カバー３８０が本体３１０に結合される時、トナーコンテナロッキングレバー３１５がＣ位置から僅かにずれている場合、複数の第２リブ３８５ｂがトナーコンテナロッキングレバー３１５を押しつつ本体３１０に結合されるので、トナーコンテナロッキングレバー３１５はＣ位置に正確に位置される。
【００２９】
第２傾斜部３８５ａは、多機能カバー３８０が本体３１０に結合された状態において、トナーコンテナロッキングレバー３１５を押してＣ位置に固定させる役割を果たす。
【００３０】
一方、トナーコンテナ３１７を本体３１０から分離する場合には、ユーザーは先ず、多機能カバー３８０を開いてトナーコンテナロッキングレバー３１５をＤ位置に位置させてから、トナーコンテナ３１７を本体３１０から分離する。
【００３１】
多機能カバー３８０の本体３１０に対向する側の所定位置には、トナーコンテナロッキングレバー位置確認部３８５に隣接して、シャッタ開閉部３８６が設置される。シャッタ開閉部３８６は、本体３１０に設置される現像器３１６のトナーがトナーコンテナ３１７に回収される際に通過するシャッタ（図示せず）を開閉する役割を果たす。トナーコンテナ３１７の上側、すなわちシャッタ（図示せず）に接触する箇所には、開放口（図示せず）が設けられている。前記開放口（図示せず）は、トナーコンテナ３１７が本体３１０に結合される時に開き、トナーコンテナ３１７が本体３１０から分離される時に閉められる構造になっている。
【００３２】
前記シャッタは、現像器３１６がトナーコンテナ３１７と接触する箇所に設けられており、現像器３１６の回転軸方向に摺動自在であり、弾性手段（図示せず）により弾性バイアスされている。
【００３３】
シャッタ開閉部３８６は、多機能カバー３８０から所定距離突出して形成される。多機能カバー３８０が本体３１０に結合される時、シャッタ開閉部３８６はシャッタを押して開放させるので、現像器３１６から回収されるトナーはトナーコンテナ３１７に流れるようになる。逆に、多機能カバー３８０が開くと、前記シャッタは原位置に閉められるので、トナーはトナーコンテナ３１７に流れなくなる。
【００３４】
多機能カバー３８０の本体３１０に対向する側の所定位置には、サイドカバーブラケット調節部３８７が設置される。サイドカバーブラケット調節部３８７は、多機能カバー３８０が本体３１０に結合されている状態でのみサイドカバー３９０が本体３１０に結合されるよう調整する役割を果たし、本体３１０に設置されているサイドカバーブラケット３１８に干渉することにより機能する。
【００３５】
サイドカバーブラケット３１８は、本体３１０に軸３１９を中心として回動自在に設置され、相互一定の角度には干渉部３１８ａと阻止部３１８ｂとが設けられる。サイドカバーブラケット３１８は、弾性手段（図示せず）により常にＨ位置に弾性バイアスされている。
【００３６】
サイドカバーブラケット調節部３８７は、多機能カバー３８０から所定距離突出して形成される。従って、多機能カバー３８０が本体３１０に結合される時、サイドカバーブラケット調節部３８７は干渉部３１８ａを進行方向に押しつつ本体３１０に結合される。
【００３７】
このとき、サイドカバーブラケット３１８は、軸３１９を中心として回転してＨ位置からＩ位置に移動する。同時に、阻止部３１８ｂも干渉部３１８ａの回転距離ほど回転されるので、阻止部３１８ｂはサイドカバー３９０が本体３１０に結合されることを妨害せず、サイドカバー３９０は本体３１０に結合され得る。
【００３８】
多機能カバー３８０が本体３１０から開かれた状態では、サイドカバーブラケット３１８は弾性手段（図示せず）により弾性バイアスされてＨ位置にあり、阻止部３１８ｂはサイドカバー３９０が本体３１０に結合されることを妨害する。従って、多機能カバー３８０が本体３１０に結合されていない状態では、サイドカバー３９０を本体３１０に結合させることができない。
【００３９】
以上、本発明に係る好適な実施の形態について説明したが、本発明はかかる構成に限定されない。当業者であれば、特許請求の範囲に記載された技術思想の範囲内において、各種の修正例および変更例を想定し得るものであり、それらの修正例および変更例についても本発明の技術範囲に包含されるものと了解される。
【００４０】
【発明の効果】
本発明による多機能カバーを備えた複合機は、詰まり除去レバーの位置を確認する機能と、トナーコンテナロッキングレバーの位置を確認しトナー回収経路上にあるシャッタの開閉を行う機能と、サイドカバーブラケットの複合機本体への結合を調整する機能と、が同時に作用するので、部品交換や用紙補給のために複合機本体を開閉後に複合機の各内部装置がそれぞれ作動可能な状態に復帰されたかを一度に確認することができ、ユーザーの操作容易性が向上する。また、前記各機能を独立して備える場合と比較して部品数が減少するので、製造コストを抑制することもできる。
【図面の簡単な説明】
【図１】本実施形態による多機能カバーが適用された複合機の斜視図である。
【図２】図１に示された多機能カバーが本体から開かれた状態を示す斜視図である。
【図３】従来の事務自動化機器の一部を示す斜視図である。
【符号の説明】
３００  複写機
３１０  本体
３２０  操作パネル
３３０  スキャニングガラス
３４０  プラテンアセンブリ
３５０  トレイ
３６０  多機能カバーアセンブリ
３７０  給紙カセット
３８０  多機能カバー
３９０  サイドカバー
【図１】
0003646800.tif 000002
【図２】
0003646800.tif 000003
【図３】
0003646800.tif 000004